(57)【要約】【課題】器具本体と光源ユニットとが分離する長尺状の照明器具であって、光源ユニットが撓むのを抑制できる照明器具を提供する。【解決手段】長尺状の光源ユニット３と、光源ユニット３が取り付けられる器具本体２とを備える照明器具１であって、器具本体２は、光源ユニット３の少なくとも一部を収容する収容凹部２２を有し、収容凹部２２には、取付バネが係合されるバネ受け２４、２５が配され、光源ユニット３は、取付バネ３５、３６と、器具本体２に取り付けられた状態で、収容凹部２２の側面２２２、２２３に弾性的に付勢し摩擦係合する固定部材３７を備える。【選択図】図２
2020024858.tif 000002
【特許請求の範囲】
【請求項１】
長尺状の光源ユニットと、前記光源ユニットが取り付けられる器具本体とを備える照明器具であって、
前記器具本体及び光源ユニットの一方は、凹部を有し、
前記器具本体及び光源ユニットの他方は、前記器具本体に前記光源ユニットが取り付けられた状態で、前記凹部の長辺側面部に弾性的に付勢し摩擦係合する固定部材を備える
ことを特徴とする照明器具。
【請求項２】
前記器具本体は、前記凹部として、前記光源ユニットの少なくとも一部を収容する収容凹部を有し、
前記固定部材は、前記光源ユニットが前記器具本体に取り付けられた状態で、前記収容凹部の長辺側面部に弾性的に付勢し摩擦係合する
請求項１記載の照明器具。
【請求項３】
前記光源ユニットが、前記凹部を有し、
前記器具本体が、前記固定部材を備える
請求項１記載の照明器具。
【請求項４】
前記長辺側面部には、前記固定部材を支える突出部が配されている
請求項１から３のいずれか１項記載の照明器具。
【請求項５】
前記長辺側面部には、前記固定部材において外方へ張り出した部分が嵌まり込む凹部が設けられている
請求項１から３のいずれか１項記載の照明器具。
【請求項６】
前記凹部の両長辺側面部は、開口端縁に近づくほど間隔が狭まる
請求項１から５のいずれか１項記載の照明器具。
【請求項７】
前記光源ユニットは、電源部を備え、
前記固定部材は、前記光源ユニットにおける前記電源部付近に配されている
請求項１から６のいずれか１項記載の照明器具。
【発明の詳細な説明】
【技術分野】
【０００１】
本発明は、照明器具に関し、特に、器具本体と光源ユニットとが分離する照明器具に関する。
【背景技術】
【０００２】
天井に配される照明器具の１つに、長尺の光源ユニットと、光源ユニットを収容する凹部を有した器具本体とを備えるものがある（特許文献１参照）。この照明器具では、器具本体が備えるバネ受けに、光源ユニットが備える取付バネが引っかけられると、取付バネの弾性力により光源ユニットが照明器具側に引き寄せられて、器具本体に光源ユニットが収容される。光源ユニットの長手方向中央付近には、重たい部材である電源部が配される。
【先行技術文献】
【特許文献】
【０００３】
【特許文献１】特開２０１４−０７８４２２号公報
【発明の概要】
【発明が解決しようとする課題】
【０００４】
上述の照明器具では、光源ユニットでは、取付バネが長手方向の両端部付近にあるため、長手方向の長さが長くなるほど、また取付バネの位置が光源ユニットにおいて電源部が配された中央付近から離れるほど、電源部の重みによって光源ユニットの中央付近が下方へと撓み、光源ユニットと器具本体との間に隙間が生じ得るという問題がある。
【０００５】
本発明は、係る問題に鑑みてなされたものであり、光源ユニットが撓むのを抑制できる照明器具を提供することを目的とする。
【課題を解決するための手段】
【０００６】
上記課題を解決するために本発明に係る照明器具は、長尺状の光源ユニットと、前記光源ユニットが取り付けられる器具本体とを備える照明器具であって、前記器具本体及び光源ユニットの一方は、凹部を有し、前記器具本体及び光源ユニットの他方は、前記器具本体に前記光源ユニットが取り付けられた状態で、前記凹部の長辺側面部に弾性的に付勢し摩擦係合する固定部材を備える。
【発明の効果】
【０００７】
上述の構成により、本発明に係る照明器具は、光源ユニットと器具本体とを強固に固定し光源ユニットが撓むのを抑制することができる。
【図面の簡単な説明】
【０００８】
【図１】本発明の一実施形態に係る照明器具を示す下方斜視図
【図２】図１の照明器具における、器具本体と光源ユニットとを分離した図
【図３】（ａ）図２の光源ユニットの側面図、（ｂ）光源ユニットの平面図
【図４】図３（ｂ）のＡ−Ａ断面を模式的に示す図
【図５】（ａ）支持体の平面図、（ｂ）支持体の正面図
【図６】（ａ）固定部材の下方斜視図、（ｂ）固定部材の正面図
【図７】（ａ）支持体と固定部材のネジによる累合を模式的に表す図、（ｂ）器具本体と光源ユニットの係合前の状態を模式的に示す図、（ｃ）器具本体と光源ユニットの係合を模式的に示す図
【図８】（ａ）本発明の第２の実施形態に係る器具本体と光源ユニットの係合前の状態を模式的に示す図、（ｂ）本発明の第２の実施形態に係る器具本体と光源ユニットの係合を模式的に示す図
【図９】（ａ）本発明の第３の実施形態に係る器具本体と光源ユニットの係合前の状態を模式的に示す図、（ｂ）本発明の第３の実施形態に係る器具本体と光源ユニットの係合を模式的に示す図
【図１０】（ａ）本発明の第４の実施形態に係る器具本体と光源ユニットの係合前の状態を模式的に示す図、（ｂ）本発明の第４の実施形態に係る器具本体と光源ユニットの係合を模式的に示す図
【図１１】（ａ）本発明の第５の実施形態に係る器具本体と光源ユニットの係合前の状態を模式的に示す図、（ｂ）本発明の第５の実施形態に係る器具本体と光源ユニットの係合を模式的に示す図
【図１２】（ａ）本発明の第６の実施形態に係る器具本体と光源ユニットの係合前の状態を模式的に示す図、（ｂ）本発明の第６の実施形態に係る器具本体と光源ユニットの係合を模式的に示す図
【図１３】（ａ）本発明の一変形例に係る固定部材の下方斜視図、（ｂ）固定部材の正面図
【図１４】本発明のその他の変形例に係る器具本体と光源ユニットの係合を模式的に示す図
【発明を実施するための形態】
【０００９】
＜１．第１の実施形態＞
＜１．１．概要＞
以下、本発明の一実施形態に係る照明器具１について図面を参照しながら説明する。照明器具１は、図１に示すように、一例として長尺状の形状を有し、取付対象の一例としての天井面に取り付けられ、室内側に光を照射する。照明器具１は、器具本体２及び光源ユニット３を備える。
【００１０】
器具本体２は、図２に示すように、一の面に凹部の一例としての収容凹部２２が形成された箱状の外観を有し、外観を構成する筐体２１は、板金を曲げ加工等して形成される。光源ユニット３は、光源の一例としてＬＥＤ（Ｌｉｇｈｔ  Ｅｍｉｔｔｉｎｇ  Ｄｉｏｄｅ）を備えた長尺状の部材である。
【００１１】
光源ユニット３は、図２に示すように樹脂製のカバー部３３を有する。光源ユニット３は、照明器具１の外部方向へ光を照射する向きに、収容凹部２２に少なくとも一部が収容される状態で取り付けられる。収容に関し、器具本体２は、収容凹部２２における開口面と対向する底面部２２１に、バネ受け２４及び２５を備える。また、光源ユニット３は、収容凹部２２に収容された状態において底面部２２１に対向する面に電源部３４、取付バネ部３５、取付バネ部３６及び固定部材３７を備える。光源ユニット３では、重量のある電源部３４が位置する長手方向の中央付近が、長手方向端部付近など他の部分と比べて重たくなっている。
【００１２】
器具本体２に光源ユニット３を収容する場合、ユーザが、まず取付バネ部３５をバネ受け２４に係合し、取付バネ部３６をバネ受け２５に係合する。その状態で、ユーザが光源ユニット３を収容凹部２２の底面部２２１の方へ近づけていくと、取付バネ部３５及び３６の弾性力により光源ユニット３が収容凹部２２の奥、すなわち底面部２２１方向に引き寄せられ、収容凹部２２内に光源ユニット３の一部が収容された状態で、光源ユニット３が器具本体２に固定される。光源ユニット３の中央付近には、固定部材３７が設けられている。固定部材３７は、バネ部材であり、光源ユニット３が器具本体２に収容された場合に、収容凹部２２を構成する長辺側面部２２２及び２２３に弾性的に付勢し摩擦係合する。これにより、光源ユニット３の中央付近が収容凹部２２にきっちり固定されるので、光源ユニット３の中央付近が重みなどによって撓み、光源ユニット３と収容凹部２２との間に隙間があいてしまうのを防ぐことができる。
【００１３】
以下、照明器具１について、より詳細に説明する。なお、本明細書において参照する各図は、本発明の理解を容易にするために構成の一部を省略、誇張して表わすなど模式的に表している。
【００１４】
＜１．２．器具本体２＞
器具本体２は、図２に示すように、筐体２１、バネ受け２４、バネ受け２５及び電源端子台２７を備える。
【００１５】
筐体２１は、一の面に収容凹部２２が形成された箱状の部材であり、器具本体２の外観を構成する。筐体２１の断面形状は、反射板部２１１及び２１２を備えた、いわゆる逆富士形である。なお、筐体２１は、逆富士形以外にトラフ形、下面開放形などの形状であってもよい。
【００１６】
収容凹部２２は、図２に示すように、長尺状の底面部２２１の長辺から長辺側面部２２２、２２３が起立し、底面部２２１の短辺から短辺側面部２２４、２２５が起立して成る。底面部２２１には、天井面５から露出し照明器具１に電力を供給するための電源ケーブル８などの電線を通すための孔が長手方向に沿って複数設けられている。また、底面部２２１には、天井面５から露出する吊ボルト（一例として６ａ、７ａ）を通すための孔が長手方向における両端寄りの位置に２個設けられている。図２に示すように、これらの孔に吊ボルト６ａ及び７ａがそれぞれ通されたのち、吊ボルト６ａ及び７ａにナット部材（一例として６ｂ、７ｂ）が締め付けられることで、器具本体２が天井面５に固定される。
【００１７】
底面部２２１には、上述のようにバネ受け２４、２５が配され、また電源端子台２７が配されている。バネ受け２４は、取付バネ部３５が係合されるバネブラケットである。バネ受け２５は、取付バネ部３６に係合されるバネブラケットである。バネ受け２４及び２５は、金属板を孔あけ加工、折り曲げ加工等して形成される部材である。電源端子台２７は、外部の電源と電源部３４とを接続するための電線（電源ケーブル８など）を相互に接続する機能を有する。
【００１８】
＜１．３．光源ユニット３＞
光源ユニット３は、図３（ａ）（ｂ）、及び図４（ａ）（ｂ）に示すように、支持体３１、光源部３２、及びカバー部３３、電源部３４、取付バネ部３５、取付バネ部３６、及び固定部材３７を有する。
【００１９】
＜支持体３１＞
支持体３１は、図５（ａ）に示すように長尺板状の部材である。支持体３１は、アルミ合金などの金属材料で押出成形により形成され、光源部３２が発する熱を放散するためのヒートシンクとして機能する。
【００２０】
支持体３１は、図５（ｂ）に示すように、底板部３１ａ、反射部３１ｂ、及び反射部３１ｃを備える。底板部３１ａは、支持体３１の短手方向中央の平坦な長尺板状の部分である。底板部３１ａの下面（面Ｓ１）に光源部３２が配され、上面（面Ｓ２）に電源部３４、取付バネ部３５、取付バネ部３６、及び固定部材３７が配される。なお、本実施形態では、上下方向として、天井に照明器具１が取り付けられる場合における、照明器具１からみて天井方向を上、床方向を下としている。反射部３１ｂ及び反射部３１ｃは、面Ｓ１側が、光源３２２から出射される光を反射する機能を有し、例えば白色塗装されているが、これに限らず、反射シートが貼付されていてもよい。また、反射部３１ｂ及び反射部３１ｃのそれぞれには、図５（ａ）に示すように、固定部材３７をネジ固定するためのネジ穴３１ｐ及びネジ穴３１ｑがそれぞれ形成されている。
【００２１】
＜光源部３２＞
光源部３２は、図４に示すように、長尺状の光源基板３２１上に、複数の光源３２２（光源３２２ａ、光源３２２ｂ、・・・）の一例として表面実装型ＬＥＤが長手方向に間隔を空けて列状に配されてなる。光源３２２を配置する列数は、一例として２列としているが、１列でもよいし、３列以上としてもよい。光源部３２は、図４に示すように光源３２２が露出する向きに、支持体３１に固定される。
【００２２】
＜カバー部３３＞
カバー部３３は、樹脂で構成され、光源３２２が射出する光を拡散する機能を有する。
【００２３】
＜電源部３４＞
電源部３４は、外部から供給されるＡＣ電力を、光源を駆動するためのＤＣ電力に変換し、光源に供給する機能を有する。
【００２４】
＜取付バネ部３５、３６＞
取付バネ部３５は、器具本体２が有するバネ受け２４に係合する部材であり、一例として、バネ線材を曲げ加工等して形成されたダブルトーションバネを有する。取付バネ部３５がバネ受け２４に係合することにより、光源ユニット３がダブルトーションバネの弾性力により器具本体２に引き寄せられ、光源ユニット３が器具本体２に取り付けられる。取付バネ部３６は、器具本体２が有するバネ受け２５に係合する部材である。取付バネ部３６の構成は、取付バネ部３５と同様である。
【００２５】
＜固定部材３７＞
固定部材３７は、金属板を折り曲げ、切断、及び穴あけ加工などして形成されたバネ部材であり、支持体３１の上面に取り付けられる。固定部材３７は、図６（ａ）及び図６（ｂ）に示すように、平板上の主板部３７ａ、主板部３７ａから段差をもって形成され、主板部３７ａから離れるにつれて下へさがるよう傾斜した長尺状の副板部３７ｂ及び３７ｃ、副板部３７ｂ及び３７ｃから略垂直に起立し、先端が弾性を有するよう折れ曲がったバネ部３７ｄ及び３７ｅを備える。副板部３７ｂにはネジ穴３７ｐが形成され、副板部３７ｃにはネジ穴３７ｑが形成されている。
【００２６】
固定部材３７は、図７（ａ）に示すように、ネジ穴３７ｐ及び３７ｑそれぞれがネジ穴３１ｐ及び３１ｑそれぞれに重なる位置に配され、ネジ３９ａ及び３９ｂを用いて支持体３１の上面にネジ止めされる。
【００２７】
固定部材３７は、一例として、支持体３１上面の電源部３４の配置位置の付近に配される。電源部３４は、重たい部材であるため、その近くを支えることで、効果的に、光源ユニット３、特に支持体３１が撓むのを防ぐことができる。
【００２８】
＜１．４．光源ユニット３の器具本体２への取り付け＞
まず、図２に示すように、天井側から延びた吊ボルト６ａ、７ａに器具本体２の孔を通し、吊ボルト６ｂ，７ｂで器具本体２を天井に固定する。なお、吊ボルトを用いずに下からビスで器具本体２を固定してもよい。次に、電源ケーブル８を、電源端子台２７と接続する。
【００２９】
次に、光源ユニット３側の取付バネ部３５を、器具本体２側のバネ受け２４に掛ける。取付バネ部３６についても同様にバネ受け２５に掛ける。この状態で、器具本体２の端子台から延びた電源コードのコネクタ（図示せず）と、光源ユニット３から延びた電源コードのコネクタ（図示せず）を接続する。そして、図７（ｂ）に示すように、光源ユニット３を上に押し上げる。
【００３０】
なお、説明を分かりやすくするため、図７（ｂ）及び図７（ｃ）において、光源ユニット３については、固定部材３７及び支持体３１以外の構成を省略し、器具本体２については、収容凹部２２以外の構成を省略している。図８〜図１０についても同様である。
【００３１】
図７（ｂ）に示すような光源ユニット３と器具本体２とが離れている状態から、光源ユニット３を器具本体２の収容凹部２２内へと押し上げると、図７（ｃ）に示すように、固定部材３７のバネ部３７ｄ及び３７ｅが、お互い近づくよう弾性変形するともに、収容凹部２２を構成する長辺側面部２２２及び２２３に弾性的に付勢し、支持体３１が器具本体２の開口端縁２２８に押し付けられて接触する。
【００３２】
このとき、バネ部３７ｄは長辺側面部２２２に摩擦係合し、バネ部３７ｅは長辺側面部２２３に摩擦係合する。これら付勢力及び摩擦力により、光源ユニット３の器具本体２への固定が強固になる。このように光源ユニット３が、特に長手方向中央付近において器具本体２に強固に固定されるので、光源ユニット３の重み（特に、電源部３４が配される長手方向中央近辺）によって光源ユニット３が撓んでしまい、光源ユニット３と収容凹部２２との間に隙間があいてしまうことはない。したがって、照明器具１では、光源ユニット３と器具本体２との間に隙間が生じにくく、照明器具の外側である横方向から見上げた場合であってもきれいな見栄えを実現できる。
【００３３】
＜２．第２の実施形態＞
第１の実施形態では、収容凹部２２の長辺側面部２２２及び２２３は平坦に構成し、長辺側面部２２２及びバネ部３７ｄの摩擦係合、長辺側面部２２３及びバネ部３７ｅの摩擦係合で、光源ユニット３と器具本体２とを強固に固定していたが、これに限らない。
【００３４】
例えば、図８（ａ）及び図８（ｂ）に示すように、長辺側面部２２２及び長辺側面部２２３に、突出部２３１及び２３２を設けてもよい。
【００３５】
図８（ａ）に示すような光源ユニット３と器具本体２とが離れている状態から、光源ユニット３を器具本体２の収容凹部２２内へと押し上げると、図８（ｂ）に示すように、固定部材３７のバネ部３７ｄ及び３７ｅが、お互い近づくよう弾性変形するともに、収容凹部２２を構成する長辺側面部２２２及び２２３に弾性的に付勢し、支持体３１が器具本体２の開口端縁２２８に押し付けられて接触する。
【００３６】
このとき、突出部２３１は、バネ部３７ｄの一部と接触し、バネ部３７ｄと突出部２３１とが摩擦係合する。突出部２３２は、バネ部３７ｅの一部と接触し、バネ部３７ｅと突出部２３２とが摩擦係合する。これにより、第１の実施形態よりも摩擦係合する箇所が増えるので、光源ユニット３と器具本体２とをより強固に固定することができる。
【００３７】
また、バネ部３７ｅが突出部２３１の上面に載る状態となり、バネ部３７ｄが突出部２３２の上面に載る状態となるため、器具本体２において、光源ユニット３を下方から支える部分が増加し、器具本体２にかかる光源ユニット３の荷重が複数の部分に分散する。
【００３８】
よって、光源ユニット３の重みによって光源ユニット３が撓む可能性がさらに低くなり、光源ユニット３と収容凹部２２との間に隙間があいてしまう可能性をさらに低くすることができる。
【００３９】
＜３．第３の実施形態＞
第１の実施形態では、収容凹部２２の長辺側面部２２２及び２２３は平坦に構成し、長辺側面部２２２及びバネ部３７ｄの摩擦係合、長辺側面部２２３及びバネ部３７ｅの摩擦係合で、光源ユニット３と器具本体２とを強固に固定していたが、これに限らない。
【００４０】
例えば、図９（ａ）及び図９（ｂ）に示すように、長辺側面部２２３及び長辺側面部に、凹部２３５及び２３６を設けてもよい。
【００４１】
図９（ａ）に示すような光源ユニット３と器具本体２とが離れている状態から、光源ユニット３を器具本体２の収容凹部２２内へと押し上げると、図９（ｂ）に示すように、固定部材３７のバネ部３７ｄ及び３７ｅが、お互い近づくよう弾性変形するともに、収容凹部２２を構成する長辺側面部２２２及び２２３に弾性的に付勢し、支持体３１が器具本体２の開口端縁２２８に押し付けられて接触する。
【００４２】
このとき、バネ部３７ｄ及びバネ部３７ｅにおいて外方に張り出した部分が、それぞれ凹部２３５及び凹部２３６に嵌り込んで摩擦係合する。これにより、第１の実施形態よりも摩擦係合する箇所が増えるので、光源ユニット３と器具本体２とをより強固に固定することができる。
【００４３】
また、バネ部３７ｅが凹部２３５の下側の面上に載る状態となり、バネ部３７ｄが凹部２３６の下側の面上に載る状態となるため、器具本体２において、光源ユニット３を下方から支える部分が増加し、器具本体２にかかる光源ユニット３の荷重が複数の部分に分散する。
【００４４】
よって、光源ユニット３の重みによって光源ユニット３が撓む可能性がさらに低くなり、光源ユニット３と収容凹部２２との間に隙間があいてしまう可能性をさらに低くすることができる。
【００４５】
なお、凹部２３５，２３６に代えて、長辺側面部２２２，２２３に穴部を設けても良い。この場合も凹部の場合と同様に、バネ部３７ｄ及びバネ部３７ｅにおいて外方に張り出した部分が穴部に嵌まり込んで摩擦係合する。
【００４６】
＜４．第４の実施形態＞
第１の実施形態では、収容凹部２２の長辺側面部２２２及び２２３は平坦に構成し、長辺側面部２２２及びバネ部３７ｄの摩擦係合、長辺側面部２２３及びバネ部３７ｅの摩擦係合で、光源ユニット３と器具本体２とを強固に固定していたが、これに限らない。
【００４７】
例えば、図１０（ａ）及び図１０（ｂ）に示すように、長辺側面部２２２ａ及び長辺側面部２２３ａに、下方にむかい開口に近づくに従い長辺側面部２２２ａ及び長辺側面部２２３ａの間隔が狭まるように勾配がついていてもよい。
【００４８】
図１０（ａ）に示すような光源ユニット３と器具本体２とが離れている状態から、光源ユニット３を器具本体２の収容凹部２２内へと押し上げると、図１０（ｂ）に示すように、固定部材３７のバネ部３７ｄ及び３７ｅが、お互い近づくよう弾性変形するともに、収容凹部２２を構成する長辺側面部２２２ａ及び２２３ａに弾性的に付勢し、支持体３１が器具本体２の開口端縁２２８に押し付けられて接触する。
【００４９】
また、バネ部３７ｅが長辺側面部２２２ａとの接触部分に載る状態となり、バネ部３７ｄが長辺側面部２２３ａとの接触部分に載る状態となるため、器具本体２において、光源ユニット３を下方から支える部分が増加し、器具本体２にかかる光源ユニット３の荷重が複数の部分に分散する。
【００５０】
よって、光源ユニット３の重みによって光源ユニット３が撓む可能性がさらに低くなり、光源ユニット３と収容凹部２２との間に隙間があいてしまう可能性をさらに低くすることができる。
【００５１】
＜５．第５の実施形態＞
上記実施形態では、照明器具１において固定部材として固定部材３７を１個使用していた。しかしながら、固定部材の個数は、光源ユニット３の全長、重さ、重さのバランス、取付バネの位置などから想定される光源ユニット３の撓みが生じないように決定されれば足り、図１１（ａ）及び図１１（ｂ）に示すように、２個の固定部材３７及び固定部材３９を用いてもよいし、３個以上の固定部材を用いてもよい。固定部材３９は、既に説明した固定部材３７と同様の構成を有する。
【００５２】
また、上記実施形態では、照明器具１において取付バネ部として２個の取付バネ部３５及び３６を使用していたが、これに限らず、図１１（ａ）及び図１１（ｂ）に示すように、３個の取付バネ部３５、３６及び３８を用いてもよいし、４個以上の取付バネ部を用いてもよい。取付バネ部の個数は、固定部材の場合と同様に、光源ユニット３と器具本体２とを固定できるように適宜定めてよい。
【００５３】
＜６．第６の実施形態＞
上記実施形態では、固定部材３７は、光源ユニット３側が備えていたが、光源ユニット３が器具本体２に固定できれば足り、例えば、図１２に示すように、器具本体２ａが固定部材３７７を備えることとしてもよい。
【００５４】
なお、図１２（ａ）及び図１２（ｂ）においては、器具本体（２ａ）及び光源ユニット（３ａ）の摩擦係合についての説明を分かりやすくするために、器具本体２ａに関して固定部材３７７のみ図示し、光源ユニット３ａについては、凹部２２００、カバー部３３、光源基板３２１上に、複数の光源３２２（光源３２２ａ、光源３２２ｂ、・・・）を配した光源部３２、及び電源部３４のみ図示している。器具本体２ａは、天井面５に取り付けられている。
【００５５】
凹部２２００は、長尺状の底面部２２１０の長辺から第２長辺側面部２２２０、２２３０が起立し、底面部２２１０の短辺から短辺側面部（図示せず）が起立して成る。
【００５６】
図１２（ａ）に示すような器具本体２ａと光源ユニット３ａとが離れている状態から、光源ユニット３ａの凹部２２００が、器具本体２ａの固定部材３７７を収容するように押し上げると、図１２（ｂ）に示すように、固定部材３７７のバネ部３７７ｄ及び３７７ｅが、お互い近づくよう弾性変形するともに、凹部２２００を構成する第２長辺側面部２２２０及び２２３０に弾性的に付勢し、凹部２２００の開口端縁２２８０が器具本体２ａに押し付けられて接触する。
【００５７】
このとき、バネ部３７７ｄは第２長辺側面部２２２０に摩擦係合し、バネ部３７７ｅは第２長辺側面部２２３０に摩擦係合する。これら付勢力及び摩擦力により、光源ユニット３ａの器具本体２ａへの固定が強固になる。
【００５８】
このように、器具本体２ａにおける固定部材３７７が配された位置の付近において、光源ユニット３ａが強固に固定されるので、光源ユニット３ａと器具本体２ａとの間に隙間が生じにくく、照明器具の外側である横方向から見上げた場合であってもきれいな見栄えを実現できる。
【００５９】
なお、底面部２２１０の下面に光源部３２を配する構成としているが、これに限らず、光源部３２は、底面部２２１０とは別途のヒートシンクなどに取り付けるなどしてもよい。
【００６０】
また、第６の実施形態における第２長辺側面部に、第２の実施形態に記載された突出部、第３の実施形態に記載された凹部、第４の実施形態に記載された開口端縁に近づくにつれて間隔が狭まる形状、第５の実施形態における複数の固定部材に関する技術思想を適用してもよい。
【００６１】
＜７．変形例その他＞
以上、本発明に係る照明器具の実施形態を説明したが、例示した照明器具を例えば以下のように変形することも可能であり、本発明が上述の実施形態で示した通りの照明器具に限られないことは勿論である。
【００６２】
（１）上述の実施形態では、固定部材３７は、１個の部材で構成していたが、これに限らず、２個以上の部材で構成してもよい。例えば、図１３（ａ）及び図１３（ｂ）に示すように、固定部材３７１及び固定部材３７２の２個の固定部材を用いてもよい。
【００６３】
固定部材３７１及び固定部材３７２は、固定部材３７から主板部３７ａを除いたものであり、副板部３７ｂにはネジ穴３７ｐが形成され、副板部３７ｃにはネジ穴３７ｑが形成されている。固定部材３７１は、ネジ穴３７ｐがネジ穴３１ｐに重なる位置に配され、ネジ３９ａを用いて支持体３１の上面にネジ止めされる。固定部材３７２は、ネジ穴３７ｑがネジ穴３１ｑに重なる位置に配され、ネジ３９ｂを用いて支持体３１の上面にネジ止めされる。
【００６４】
（２）上述の実施形態及び変形例では、固定部材３７は、長尺状の副板部３７ｂ及び３７ｃから略垂直に起立し、先端が弾性を有するよう外方へ折れ曲がったバネ部３７ｄ及び３７ｅを備えていたが、形状はこれに限らず、収容凹部の長辺側面部に弾性的に付勢し摩擦係合できる形状であれば足りる。例えば、図１４にバネ部３７５ｄ及びバネ部３７５ｅとして示すように、収容凹部の長辺側面部に弾性的に付勢し摩擦係合できるよう、バネ部が内方へ折れ曲がる構成としてもよい。この場合、固定部材３７５は、固定部材３７と比べて金属板を折り曲げる回数を減らすことができる。
【００６５】
（３）なお、照明器具１は、天井でなくレースウェイ等のバー金具に設置してもよい。
【００６６】
（４）本発明の各部構成は上記実施形態及び変形例に限らず、特許請求の範囲に記載の技術的範囲内で種々の変形が可能である。例えば、上記照明器具の各部構成は、ＬＥＤに係る照明器具に限定されていない様々な照明器具に適用することが出来る。
【００６７】
（５）上述の実施形態及び各変形例を、部分的に組み合せてもよい。
【００６８】
＜８．発明の抽出＞
上記の実施形態および変形例から抽出される発明として、例えば、以下の発明を挙げることができる。
【００６９】
（１）本発明の一実施形態に係る照明器具は、長尺状の光源ユニットと、前記光源ユニットが取り付けられる器具本体とを備える照明器具であって、前記器具本体及び光源ユニットの一方は、凹部を有し、前記器具本体及び光源ユニットの他方は、前記器具本体に前記光源ユニットが取り付けられた状態で、前記凹部の長辺側面部に弾性的に付勢し摩擦係合する固定部材を備える。
【００７０】
この構成により、本発明に係る照明器具は、光源ユニットと器具本体とを強固に固定し光源ユニットが撓むのを抑制することができる。
【００７１】
（２）また、前記器具本体は、前記凹部として、前記光源ユニットの少なくとも一部を収容する収容凹部を有し、前記固定部材は、前記光源ユニットが前記器具本体に取り付けられた状態で、前記収容凹部の長辺側面部に弾性的に付勢し摩擦係合することとしてもよい。
【００７２】
この構成により、本発明に係る照明器具は、光源ユニットと器具本体とを強固に固定し光源ユニットが撓むのを抑制することができる。
【００７３】
（３）また、前記光源ユニットが、前記凹部を有し、前記器具本体が、前記固定部材を備えることとしてもよい。
【００７４】
この構成により、本発明に係る照明器具は、光源ユニットと器具本体とを強固に固定し光源ユニットが撓むのを抑制することができる。
【００７５】
（４）また、前記長辺側面部には、前記固定部材を支える突出部が配されていることとしてもよい。
【００７６】
この構成により、摩擦係合する箇所を増やすことができるので、光源ユニットと器具本体とをより強固に固定し、光源ユニットが撓むのを抑制することができる。
【００７７】
（５）また、前記長辺側面部には、前記固定部材において外方へ張り出した部分が嵌まり込む凹部が設けられていることとしてもよい。
【００７８】
この構成により、摩擦係合する箇所を増やすことができるので、光源ユニットと器具本体とをより強固に固定し、光源ユニットが撓むのを抑制することができる。
【００７９】
（６）また、前記凹部の両長辺側面部は、開口端縁に近づくほど間隔が狭まることとしてもよい。
【００８０】
この構成により、前記固定部材が前記両長辺側面部を上方から支え、又は前記両長辺側面部が前記固定部材を下方から支えるので、荷重を複数の部分に分散することができるため、光源ユニットと器具本体とをより強固に固定し、光源ユニットが撓むのを抑制することができる。
【００８１】
（７）また、前記光源ユニットは、電源部を備え、前記固定部材は、前記光源ユニットにおける前記電源部付近に配されていることとしてもよい。
【００８２】
この構成により、通常、重たい部材である電源部の近くを支えることで、効果的に、光源ユニットと器具本体とをより強固に固定して光源ユニットが撓むのを防ぐことができる。
【符号の説明】
【００８３】
１    照明器具
２    器具本体
３    光源ユニット
５    天井面
６ａ、６ｂ、７ａ、７ｂ  吊ボルト
８    電源ケーブル
２１  筐体
２２  収容凹部
２７  電源端子台
３１  支持体
３１ａ  底板部
３１ｂ、３１ｃ  反射部
３１ｐ、３１ｑ、３７ｐ、３７ｑ  ネジ穴
３２  光源部
３３  カバー部
３４  電源部
３５、３６、３８  取付バネ部
３７、３９  固定部材
３７ａ  主板部
３７ｂ、３７ｃ  副板部
３７ｄ、３７ｅ  バネ部
２１１、２１２  反射板部
２２１、２２１０  底面部
２２２、２２３、２２２ａ、２２３ａ  長辺側面部
２２２０、２２３０  第２長辺側面部
２２４、２２５  短辺側面部
２２８、２２８０  開口端縁
２３１、２３２  突出部
２３５、２３６  凹部
３２１  光源基板
３２２、３２２ａ、３２２ｂ  光源
【図１】
2020024858.tif 000003
【図２】
2020024858.tif 000004
【図３】
2020024858.tif 000005
【図４】
2020024858.tif 000006
【図５】
2020024858.tif 000007
【図６】
2020024858.tif 000008
【図７】
2020024858.tif 000009
【図８】
2020024858.tif 000010
【図９】
2020024858.tif 000011
【図１０】
2020024858.tif 000012
【図１１】
2020024858.tif 000013
【図１２】
2020024858.tif 000014
【図１３】
2020024858.tif 000015
【図１４】
2020024858.tif 000016